(57)【要約】【課題】汚水の回収、床面残存物処理などの作業性の悪さを改善し、床面洗浄・補修作業を簡便に且つ短時間で効率的に行うことができる剥離洗浄剤組成物を提供する。【解決手段】アルキレングリコール２５〜４５重量％、アルキレングリコールアルキルエーテル１０〜３０重量％、及び炭化水素系溶剤３５〜５５重量％から構成される混合溶剤を含有する剥離洗浄剤組成物。【選択図】なし【特許請求の範囲】
【請求項１】
アルキレングリコールアルキルエーテル２５〜４５重量％、ジアルキレングリコールアルキルエーテル１０〜３０重量％、及び炭化水素系溶剤３５〜５５重量％から構成される混合溶剤を含有することを特徴とする剥離洗浄剤組成物。
【請求項２】
前記アルキレングリコールアルキルエーテルが、プロピレングリコールモノメチルエーテルであることを特徴とする請求項１に記載の剥離洗浄剤組成物。
【請求項３】
前記ジアルキレングリコールアルキルエーテルが、ジプロピレングリコールモノメチルエーテルであることを特徴とする請求項１または２に記載の剥離洗浄剤組成物。
【請求項４】
前記炭化水素系溶剤が、パラフィン系炭化水素、石油系炭化水素、鉱油のうちから選ばれた１種以上であることを特徴とする請求項１〜３のいずれかに記載の剥離洗浄剤組成物。
【請求項５】
消臭剤、脱臭剤、防臭剤、芳香剤、リモネンから選ばれた１種以上を含有してなることを特徴とする請求項１〜４のいずれかに記載の剥離洗浄剤組成物。
【請求項６】
請求項１〜５のいずれかに記載の剥離洗浄剤組成物を水で希釈せずに、又は該剥離洗浄剤組成物１００重量部に対して２０重量部以下の水又は界面活性剤を含む水で希釈して、被洗浄物に塗布した後に、ワックス剥離装置で合成樹脂ワックスを剥離させることを特徴とする剥離洗浄方法。
【請求項７】
剥離洗浄剤組成物を被洗浄物に塗布した後、１分〜２０分以内の半湿潤状態においてワックス剥離装置で合成樹脂ワックスを剥離させることを特徴とする請求項６に記載の剥離洗浄方法。
【請求項８】
前記被洗浄物が、合成樹脂ワックスを塗布した床であることを特徴とする請求項６または７に記載の剥離洗浄方法。
【請求項９】
前記ワックス剥離装置が、ポリッシャー、ローリングクリーナー、ハンディークリーナー、ブラシの１種以上であることを特徴とする請求項６〜８のいずれかに記載の剥離洗浄方法。
【発明の詳細な説明】
【技術分野】
【０００１】
本発明は、合成樹脂ワックス等を塗布した被洗浄物を洗浄する剥離洗浄剤組成物及び該剥離洗浄剤組成物を用いた剥離洗浄方法に関する。
【背景技術】
【０００２】
コンビニエンスストア、スーパーマーケット、オフィスビル等で、化学床タイル、石床等が施工されている場合、床面を保護する目的から合成樹脂ワックス等をつや出し剤として塗布することが多い。この合成樹脂ワックス等を塗布した床面は時間の経過に伴って歩行などの擦り傷が発生し、あるいは汚れが付着して美観が損なわれる。このため汚れた合成樹脂ワックス等を洗浄により除去し、再度合成樹脂ワックス等を塗布して床面の美観を回復させる方法が一般的に用いられている。
【０００３】
この床面清掃作業は、床面に塗布されている合成樹脂ワックス等の皮膜を、洗浄剤を用いてブラッシングすることにより除去する方法で行われる。その洗浄剤として、従来はアルカリ成分を主体とし、これに界面活性剤及びビルダーを多量に含有させたものが使用されていた。従来の洗浄剤を用いた場合には、合成樹脂ワックス等を再塗布する前に床面洗浄に用いた汚水の回収、その後の床面残存物処理、残存アルカリの中和などの作業に手間がかかっていた。特に汚水の回収は排水処理の問題もあり、大きな解決課題である。
【０００４】
本発明者らは、テルペン系炭化水素及びエタノール含有床洗浄剤組成物を該洗浄剤組成物の数倍量の水で希釈して用いる方法を提案している（特許文献１）。該洗浄方法においては、洗浄剤組成物の合成樹脂ワックス等への浸透時間が比較的長く、洗浄効率の点で更なる改良が望まれていた。
【０００５】
また、本発明者らは、テルペン系炭化水素とアルコール及び／又はエステル系溶剤を含有する洗浄剤組成物を用いた、水分含有がない状態での洗浄方法を提案している（特許文献２）。しかし、多層の合成樹脂ワックス皮膜を塗布した床の洗浄において作業時間が長くなると剥離性能が低下する傾向があり、更なる改良が要望されている。
【０００６】
【特許文献１】特開２００４−０３５６５１号公報
【特許文献２】特開２００５−３１９４５０号公報
【発明の開示】
【発明が解決しようとする課題】
【０００７】
本発明の目的は、従来の洗浄剤に見られる、汚水の回収、床面残存物処理などの作業性の悪さを改善し、合成樹脂ワックス等を塗布した被洗浄物の剥離洗浄作業を簡便に且つ短時間で効率的に行うことができ、更に作業時間が長い場合にも剥離性能が低下しないような剥離洗浄剤組成物及び剥離洗浄方法を提供することである。
【課題を解決するための手段】
【０００８】
本発明者等は前記課題を解決するため鋭意研究を重ねた結果、合成樹脂ワックス等を塗布した被洗浄物の剥離剤として、特定の混合溶剤を含有する剥離洗浄剤組成物が有効であることを見出し、本発明に到達した。
【０００９】
即ち、本発明の剥離洗浄剤組成物は、アルキレングリコールアルキルエーテル２５〜４５重量％、ジアルキレングリコールアルキルエーテル１０〜３０重量％、及び炭化水素系溶剤３５〜５５重量％から構成される混合溶剤を含有することを特徴とする。
【００１０】
また、本発明の剥離洗浄方法は、上記本発明の剥離洗浄剤組成物を水で希釈せずに、又は該剥離洗浄剤組成物１００重量部に対して２０重量部以下の水又は界面活性剤を含む水で希釈して、被洗浄物に塗布した後に、ワックス剥離装置で合成樹脂ワックスを剥離させることを特徴とする。
【発明の効果】
【００１１】
本発明の剥離洗浄剤組成物は、合成樹脂ワックスを確実に剥離することができる。また、被洗浄物に塗布した後、半湿潤状態のままワックス剥離装置でワックスを剥離させることが可能であり、且つ、塗布した後の放置時間が長くなっても剥離性能の低下が少なく、洗浄剤塗布後のポリッシング可能時間範囲が広く、しかもトータル剥離物除去時間を短くすることもできる。更に、数倍の水で希釈して用いる従来の市販剥離剤の様に汚水の回収をする必要がない。従って、非常に効率的に合成樹脂ワックスを剥離することができ、実用面で使い易い剥離洗浄剤である。
【００１２】
このため、化学床タイル、石床等が施工されているコンビニエンスストア、スーパーマーケット、オフィスビル等の合成樹脂ワックス等が塗布されている床面の洗浄剤として大いに有用である。また、床面以外にも、合成樹脂ワックス等が塗布された被洗浄物の剥離洗浄剤としても使用できる。
【発明を実施するための最良の形態】
【００１３】
本発明について、以下具体的に説明する。
【００１４】
本発明剥離洗浄剤組成物は、アルキレングリコールアルキルエーテル、ジアルキレングリコールアルキルエーテル、及び炭化水素系溶剤から構成される混合溶剤を含有する。
【００１５】
本発明で用いるアルキレングリコールエーテルは、例えば、エチレングリコールアルキルエーテル、プロピレングリコールアルキルエーテル、ジエチレングリコールアルキルエーテル、ジプロピレングリコールアルキルエーテル、トリメチレングリコールアルキルエーテル、トリエチレングリコールアルキルエーテル、テトラエチレングリコールアルキルエーテルなどであるが、最も好ましいのはプロピレングリコールアルキルエーテルである。
【００１６】
本発明で用いるジアルキレングリコールアルキルエーテルは、例えば、ジエチレングリコールモノメチルエーテル、ジエチレングリコールモノエチルエーテル、ジエチレングリコールジメチルエーテル、ジプロピレングリコールモノメチルエーテル、ジプロピレングリコールモノエチルエーテル、ジプロピレングリコールジメチルエーテルなどであるが、最も好ましいのはジプロピレングリコールモノメチルエーテルである。
【００１７】
本発明で用いる炭化水素系溶剤としては、パラフィン系炭化水素、石油系炭化水素、鉱油のうちから選ばれた１種以上、好ましくは石油系炭化水素が使用でき、常温で液体状態のものであればよい。
【００１８】
具体的にはパラフィン系炭化水素としては、例えばデカン、ウンデカン、ドデカン、イソドデカン、ペンタデカン、オクタデカンなどが使用できる。石油系炭化水素としては、例えば新日本石油株式会社製「ニューソルデラックス  ハイソフト」等が使用できる。鉱油としては、例えば（株）松村石油研究所製「モレスコホワイト  Ｐ−４０」等が使用できる。これらのうちで最も好ましいのは「ニューソルデラックス  ハイソフト」である。
【００１９】
各溶剤の混合比率は、アルキレングリコールアルキルエーテル２５〜４５重量％、好ましくは３０〜４０重量％、ジアルキレングリコールアルキルエーテル１０〜３０重量％、、好ましくは１５〜２５重量％、炭化水素系溶剤３５〜５５重量％、好ましくは４０〜５０重量％であることが必要である。混合比率の変化により、剥離性能が異なる。溶剤の混合比率が本発明の範囲から逸脱した場合は、合成樹脂ワックス等の剥離が不十分で好ましくない。
【００２０】
本発明の剥離洗浄剤組成物は室内で使用されることが多く、使用時の臭いが気になる場合がある。そのような場合には、更に消臭剤、脱臭剤、防臭剤、芳香剤、リモネンから選ばれた１種以上を含有させることが好ましい。これらを含有させることにより、洗浄作業における作業者の作業を快適にすることができる。これらは単独及びこれらを２種以上混合して用いることができる。また、これらの混合溶剤への添加量は、本発明の目的が達成できる量であればよいが、好ましくは混合溶剤１００重量部に対して０．１〜５重量部、より好ましくは０．１〜１．０重量部が使用される。
【００２１】
消臭剤、脱臭剤、防臭剤、芳香剤として、有機系、無機系、植物系、バイオ系、洗剤系、更に部屋・トイレ・生ごみ・ペット・タバコ用、感覚的消臭、化学的消臭、物理的消臭、生物学的消臭など多くのものが知られているが、作業者の作業を快適にするものであれば全てのものが使用できる。市販品として、エステー化学、花王、小林製薬、エコム、大洋香料、環境浄化研究所など多くのメーカー等から提供されている。その中には、液状、スプレー状、微粉体状、固体状など種々の形状の製品があるが、本発明の混合溶剤に含有させて使用できるものであればどれでもよい。例えば、大洋香料の「グリーンアップル５５−１７００」（製品名）などが効果を発揮する。
【００２２】
本発明の剥離洗浄剤組成物は、このほかに、更に任意成分として、顔料、着色剤、殺菌剤、防腐剤等を配合することができる。
【００２３】
本発明の剥離洗浄方法では、まず、上記本発明の剥離洗浄剤組成物を水で希釈せずに、又は該剥離洗浄剤組成物１００重量部に対して２０重量部以下、好ましくは６重量部以下、より好ましくは２重量部以下の水又は界面活性剤を含む水で希釈して、被洗浄物に塗布する。
【００２４】
界面活性剤としては、例えば三洋化成工業（株）製の「イオネットＳ−２０」、「サンモリンＯＴ−７０」、「ニューポール５０ＨＢ−５５」等が挙げられ、中でも「イオネットＳ−２０」が好ましい。水／界面活性剤の混合割合は８０重量部／２０重量部〜２０重量部／８０重量部が好ましく、中でも５０重量部／５０重量部が特に好ましい。
【００２５】
剥離洗浄剤組成物を被洗浄物に塗布した後、ワックス剥離装置で合成樹脂ワックスを剥離させる。具体的には、ポリッシャー、ローリングクリーナー、ハンディークリーナーおよびブラシから選ばれる１種以上で、被洗浄物の表面をポリッシングして合成樹脂ワックス等を剥離させる。この際、剥離洗浄剤組成物の塗布後、浸透時間を置くことなく、好ましくは１分〜２０分以内に、剥離洗浄剤組成物が半湿潤状態のまま合成樹脂ワックスを剥離させることが好ましい。剥離洗浄剤組成物を塗布した後の放置時間が長くなりすぎた場合には、合成樹脂ワックス等の剥離が不十分となる可能性がある。
【００２６】
本発明の方法では、合成樹脂ワックス等は粉状で剥離し、洗浄汚水の回収は不要となる。合成樹脂ワックスが粉状で剥離するかどうかは洗浄時間に大きく影響する。剥離した粉状物を床面から拭き取った後、合成樹脂ワックス等を再塗布することができる。
【実施例】
【００２７】
本発明を実施例及び比較例に基づいて更に説明する。
【００２８】
＜実施例１〜５＞
表１に示す重量比で、プロピレングリコールモノメチルエーテル（ＰＧＭＥ）、ジプロピレングリコールモノメチルエーテル（ＤＰＧＭＥ）、石油系炭化水素（新日本石油（株）製ニューソルデラックスハイソフト：ＮＨ）を混合し、剥離洗浄剤組成物を調製した。実施例２では、更に混合溶剤１００重量部に対して０．５重量部の芳香剤（「グリーンアップル５５−１７００」、大洋香料製）を含有させた。
【００２９】
実施例１，２，４，５では、剥離洗浄剤組成物を水で希釈することなく、実施例３では剥離洗浄剤組成物１００重量部に水／界面活性剤（イオネットＳ−２０：商品名、三洋化成工業（株）製、ノニオン系界面活性剤）の１／１（重量比）混合液１０重量部を加えて、市販の合成樹脂ワックス（ビッグコート：商品名、（株）リスダンケミカル製）を４層塗布したホモジニアスビニル床タイル２平方メートル上に塗布した。
【００３０】
塗布後、表１に示す時間放置後に、電気ポリッシャーにて床をポリッシングして合成樹脂ワックス塗膜を剥離させた。ポリッシング後、床にたまった粉状の剥離物を掃きとり、合成樹脂ワックスを再塗布した。
【００３１】
剥離洗浄剤組成物の剥離性能と、作業性（塗布後放置時間、ポリッシャー使用時間、汚水回収の必要性、水拭作業の必要性）を評価し、その結果を表１に示した。
【００３２】
【表１】
2008115242.tif 000002
【００３３】
＜比較例１〜６＞
比較例として、表２に示すように、市販の床用剥離剤（ボンバー：商品名、向島産商（株）製：アルカリ性・化学床材剥離用）又はリモネン／エタノール混合組成物（３３／６７）を塗布した。また、プロピレングリコールモノメチルエーテル単独、ジプロピレングリコールモノメチルエーテル単独、石油系炭化水素（新日本石油（株）製ニューソルデラックスハイソフト）単独で、水に希釈することなく塗布した。
【００３４】
その後、実施例と同様にして、合成樹脂ワックスの再塗布まで行った。尚、比較例１の場合は、ポリッシング後に汚水を湿用掃除機で回収し、さらに、洗浄剥離剤の洗剤分を床に残さないようにモップで水拭きをし、床面を乾燥させた後、合成樹脂ワックスを再塗布した。
【００３５】
【表２】
2008115242.tif 000003
【００３６】
表１，２より明らかなように、本発明の剥離洗浄剤組成物を用いた剥離洗浄方法は、市販の洗浄剥離剤を用いた洗浄方法（比較例１）に比べて、汚水回収の必要がなく、浸透性が良好で、水拭作業性の点で優れており、作業合計時間の短縮が可能な効率的な洗浄方法である。
【００３７】
また、比較例２に示した特許文献２の洗浄剤の場合には、洗浄剤塗布後の時間経過が長くなると剥離性能が低下した。
【００３８】
また、比較例３〜５に示したように、溶剤単独使用の場合には、剥離性能が不十分であった。
【産業上の利用可能性】
【００３９】
本発明の剥離洗浄剤組成物は、合成樹脂ワックスを確実に剥離することができる。また、被洗浄物に塗布した後、半湿潤状態のままワックス剥離装置でワックスを剥離させることが可能であり、且つ、塗布した後の放置時間が長くなっても剥離性能の低下が少なく、洗浄剤塗布後のポリッシング可能時間範囲が広く、しかもトータル剥離物除去時間を短くすることもできる。更に、数倍の水で希釈して用いる従来の市販剥離剤の様に汚水の回収をする必要がない。従って、非常に効率的に合成樹脂ワックスを剥離することができ、実用面で使い易い剥離洗浄剤である。
【００４０】
このため、化学床タイル、石床等が施工されているコンビニエンスストア、スーパーマーケット、オフィスビル等の合成樹脂ワックス等が塗布されている床面の洗浄剤として大いに有用である。また、床面以外にも、合成樹脂ワックス等が塗布された被洗浄物の剥離洗浄剤としても使用できる。